【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有するＡＶデータ送信装置において、
前記発光部が複数の前記ＡＶソース機器に対して赤外線信号が照射可能となるように、広い指向性を有することを特徴とするＡＶデータ送信装置。
【請求項２】
前記発光部が複数の赤外線発光素子によって構成されることを特徴とする請求項１に記載のＡＶデータ送信装置。
【請求項３】
ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有するＡＶデータ送信装置において、
前記発光部が複数の前記ＡＶソース機器に対して赤外線信号が照射可能となるように、前記発光部を複数備えることを特徴とするＡＶデータ送信装置。
【請求項４】
複数の前記ＡＶソース機器それぞれに対して赤外線信号を照射するように、照射する前記ＡＶソース機器と同数の前記発光部を備え、前記各発光部が単一のＡＶソース機器にのみ赤外線信号の照射が可能であることを特徴とする請求項３に記載のＡＶデータ送信装置。
【請求項５】
複数の前記ＡＶソース機器の内の前記ＡＶデータを送信するように設定される入力機器となるＡＶソース機器に対応した前記発光部のみを発光させることを特徴とする請求項４に記載のＡＶデータ送信装置。
【請求項６】
前記発光部が、
前記ＡＶソース機器における赤外線信号を受信する受光部に対して赤外線信号を照射する赤外線発光素子と、
該赤外線発光素子から前記受光部への方向以外の赤外線の照射を防ぐための遮蔽部と、
を有することを特徴とする請求項４又は請求項５に記載のＡＶデータ送信装置。
【請求項７】
前記遮蔽部の一部に外部からの赤外線信号が透過可能な赤外線通過可能領域を設けるとともに、該赤外線透過可能領域を通じて外部からの赤外線信号を前記ＡＶソース機器の受光部に照射可能としたことを特徴とする請求項６に記載のＡＶデータ送信装置。
【請求項８】
複数の前記発光部のうち、赤外線信号の送信動作を行う発光部を選択するとともに、前記制御部で確認された制御信号を選択した発光部に与える発光部切換部を有することを特徴とする請求項３〜請求項７のいずれかに記載のＡＶデータ送信装置。
【請求項９】
前記複数のＡＶソース機器から与えられる複数のＡＶデータから１つを選択し、前記第１通信部に与える入力切換部を有することを特徴とする請求項１〜請求項８のいずれかに記載のＡＶデータ送信装置。
【請求項１０】
前記複数のＡＶソース機器から与えられる複数のＡＶデータから１つを選択する外部の入力切換装置に対して、前記第１通信部に与えるＡＶデータを選択するための入力切換用の制御信号を前記入力切換装置に前記制御部から送出することを特徴とする請求項１〜請求項８のいずれかに記載のＡＶデータ送信装置。
【請求項１１】
前記入力切換部又は前記入力切換装置によって、ＡＶデータの入力選択が解除されたＡＶソース機器を自動的に電源ＯＦＦさせるための赤外線信号、又は、該ＡＶソース機器の再生動作を自動的に停止させるための赤外線信号を、前記発光部から送信することを特徴とする請求項９又は請求項１０に記載のＡＶデータ送信装置。
【請求項１２】
前記ＡＶソース機器の電源のＯＮ／ＯＦＦを、前記ＡＶソース機器へ電力供給を行うＡＣ電源の切り換えによって行うことを特徴とする請求項１１に記載のＡＶデータ送信装置。
【請求項１３】
前記入力切換部又は前記入力切換装置によって、ＡＶデータの入力選択が成されたＡＶソース機器の再生動作を自動的に開始させるための赤外線信号を、前記発光部から送信することを特徴とする請求項９〜請求項１２のいずれかに記載のＡＶデータ送信装置。
【請求項１４】
前記ＡＶソース機器の入力選択に連動して、該入力選択が解除された前記ＡＶソース機器の再生の停止を行うための機能、又は、該入力選択が成された前記ＡＶソース機器の再生の再開を行うための機能を、有効とするか無効とするか選択可能であることを特徴とする請求項９〜請求項１３のいずれかに記載のＡＶデータ送信装置。
【請求項１５】
前記ＡＶソース機器の入力選択に連動して、該入力選択が解除された前記ＡＶソース機器の電源を自動的にＯＦＦするための機能、又は、該入力選択が成された前記ＡＶソース機器の自動的にＯＮするための機能を、有効とするか無効とするか選択可能であることを特徴とする請求項９〜請求項１３のいずれかに記載のＡＶデータ送信装置。
【請求項１６】
前記ＡＶソース機器のＡＶデータの入力選択が前記入力切換部又は前記入力切換装置によって解除されてから、所定時間後に、前記ＡＶソース機器の電源が自動的にＯＦＦされるように制御することを特徴とする請求項９〜請求項１５のいずれかに記載のＡＶデータ送信装置。
【請求項１７】
複数の前記ＡＶソース機器の内の前記ＡＶデータを送信するように設定される入力機器となるＡＶソース機器に対応した前記赤外線信号のみを前記発光部が送信することを特徴とする請求項１〜請求項１６のいずれかに記載のＡＶデータ送信装置。
【請求項１８】
前記第２通信部で受信した第２無線信号より確認される制御信号が無効な信号であるとき、無効であることを示すためのエラー信号を生成し、前記第２通信部から送信することを特徴とする請求項１〜請求項１７のいずれかに記載のＡＶデータ送信装置。
【請求項１９】
請求項１〜請求項１７のいずれかに記載のＡＶデータ送信装置から送信される前記第１無線信号を受信するとともに、受信した前記第１無線信号より得られるＡＶデータを該ＡＶデータを再生する再生装置に送信する第３通信部と、
外部より与えられる前記ＡＶソース機器を制御するための制御信号を確認するとともに装置全体の制御を行う制御部と、
前記制御部で確認された制御信号に基づいて、前記第２無線信号を生成して前記ＡＶデータ送信装置に送信する第４通信部と、
を有することを特徴とするＡＶデータ受信装置。
【請求項２０】
請求項１８に記載のＡＶデータ送信装置から送信される前記第１無線信号を受信するとともに、受信した前記第１無線信号より得られるＡＶデータを該ＡＶデータを再生する再生装置に送信する第３通信部と、
外部より与えられる前記ＡＶソース機器を制御するための制御信号を確認するとともに装置全体の制御を行う制御部と、
前記制御部で確認された制御信号に基づいて、前記第２無線信号を生成して前記ＡＶデータ送信装置に送信するとともに、前記ＡＶデータ送信装置から送信されるエラー信号を受信する第４通信部と、
を有し、
前記第４通信部でエラー信号を受信したとき、該エラー信号が前記制御部で確認され、エラーであることを示す出力を行うことを特徴とするＡＶデータ受信装置。
【請求項２１】
前記エラー信号を受信したときに、エラーであることを示す出力を行うエラー出力部を備えることを特徴とする請求項２０に記載のＡＶデータ受信装置。
【請求項２２】
前記エラー出力部から音声が出力されて、エラーが示されることを特徴とする請求項２１に記載のＡＶデータ受信装置。
【請求項２３】
前記エラー信号を受信したときに、エラーであることを示す出力を行うように、前記再生装置に該エラー信号を送出することを特徴とする請求項２０〜請求項２２のいずれかに記載のＡＶデータ受信装置。
【請求項２４】
前記エラー信号を受信したときに、エラーであることを示す出力が画像又は音声で行われるように、前記第３通信部を通じて前記再生装置に該エラー信号を送出することを特徴とする請求項２３に記載のＡＶデータ受信装置。
【請求項２５】
前記ＡＶソース機器を制御するための制御信号が、赤外線信号として外部より与えられ、該赤外線信号を受信して前記制御部に前記制御信号を送出する受光部を有することを特徴とする請求項１９〜請求項２４のいずれかに記載のＡＶデータ受信装置。
【請求項２６】
前記ＡＶソース機器を制御するための制御信号が前記再生装置より与えられ、前記制御部に送出されることを特徴とする請求項１９〜請求項２４のいずれかに記載のＡＶデータ受信装置。
【請求項２７】
請求項１〜請求項１８のいずれかに記載のＡＶデータ送信装置と、
該ＡＶデータ送信装置に前記ＡＶデータを送信する複数の前記ＡＶソース機器と、
請求項１９〜請求項２６のいずれかに記載のＡＶデータ受信装置と、
該ＡＶデータ受信装置で受信された前記第１無線信号より得られたＡＶデータに基づいて映像又は音声の再生を行う再生装置と、
を有することを特徴とする無線通信システム。